(57)【要約】【課題】振幅の小さい補助スピーカの音源位置の安定化を実現することが可能な構成とされたスピーカ用筐体と、このスピーカ用筐体を用いて構成されたスピーカ装置を提供する。【解決手段】本発明に係るスピーカ用筐体２は、側面板４ａにスピーカドライバ３を固定可能な筐体４と、該筐体４の平面的な重心を通る垂直線Ｇと軸心が合致した状態で前記筐体４内に挿入され、前記筐体４の底面板４ｂと天面板４ｃとに当接する筒体５と、前記筐体４の底面板４ｂに形成された貫通孔６を通って前記筒体５内に挿入され、前記筐体４の天面板４ｃを上端部で揺動可能に支持する支柱７とを具備している。【選択図】    図１
2004336579.tif 000002
【特許請求の範囲】
【請求項１】
側面板にスピーカドライバを固定可能な筐体と、該筐体の平面的な重心を通る垂直線と軸心が合致した状態で前記筐体内に挿入され、前記筐体の底面板と天面板とに当接する筒体と、前記筐体の底面板に形成された貫通孔を通って前記筒体内に挿入され、前記筐体の天面板を上端部で揺動可能に支持する支柱とを具備したことを特徴とするスピーカ用筐体。
【請求項２】
前記支柱の上端部は尖っており、前記筐体の天面板に前記支柱の上端部が当接する軸受部を設けたことを特徴とする請求項１に記載のスピーカ用筐体。
【請求項３】
前記筐体の底面板に形成された貫通孔の内周面と前記支柱の外周面との間には緩衝部材を介装したことを特徴とする請求項１または請求項２に記載のスピーカ用筐体。
【請求項４】
請求項１〜請求項３のいずれか１項に記載したスピーカ用筐体を備えてなるスピーカ装置であって、
前記スピーカドライバを前記筐体の側面板に固定したことを特徴とするスピーカ装置。
【発明の詳細な説明】
【０００１】
【発明の属する技術分野】
本発明はスピーカ用筐体及びスピーカ装置に係り、特には、スピーカドライバが固定されるスピーカ用筐体の構造と、このスピーカ用筐体を備えて構成されるスピーカ装置とに関する。
【０００２】
【従来の技術】
スピーカ装置としては図３で示すような構成とされたものが一般的であり、このスピーカ装置５１はスピーカ用筐体５２を備えている。そして、スピーカ用筐体５２は、前後に振動して音を発生するスピーカドライバ５３のフレームが側面板５４ａに固定され、底面板５４ｂが床面Ｆに当接して設置される中空箱形の筐体５４を具備している。
【０００３】
スピーカ用筐体５２を備えたスピーカ装置５１では、スピーカドライバ５３から伝達される不要な振動の大半が筺体５４によって吸収される。そして、吸収されずに残った振動は、筐体５４の底面板５４ｂから床面Ｆに伝達され、放散されてしまう。
【０００４】
【発明が解決しようとする課題】
ところで、前記従来の形態に係るスピーカ装置５１を用いたオーディオシステムにおいては、高音域再生用で振幅の小さい補助スピーカ（トゥイータ）等を付加することが行われる。そして、この際には、補助スピーカの形状が小さく、しかも、指向性等の関係を満たす必要があるため、図３中に付記するように、スピーカ装置５１の備えるスピーカ用筐体５２上に対し、補助スピーカ７１を載置するのが一般的とされる。
【０００５】
しかしながら、このような構成とした場合には、次のような不都合が生じる。すなわち、スピーカ装置５１では、スピーカ用筐体５２が具備している筐体５４によって不要な振動の大半が吸収され、吸収されずに残った振動のみが筺体５４の底面板５４ｂから床面Ｆへと放散される。
【０００６】
ところが、スピーカドライバ５３で発生する音量が大きいと、発生する不要な振動も大きくなるため、スピーカ用筐体５２が具備した筺体５４だけでは振動を十分には吸収し難くなる。そして、筺体５４の底面板５４ｂから床面Ｆへと放散される振動量にも限界があるため、結果的には、スピーカ用筐体５２が筺体５４の底面板５４ｂ付近を中心として揺動することになる。
【０００７】
このような事態下では、スピーカ用筐体５２の天面、つまり、筐体５４の天面板５４ｃが大きく前後に揺動し、この部分での振幅が最大となるため、筐体５４の天面板５４ｃ上に載置された振幅の小さい補助スピーカ７１が大きく揺動する。その結果、補助スピーカ７１の音源位置が不安定となり、この補助スピーカ７１を付加したことによる本来の効果が得られない。
【０００８】
本発明はこのような不都合に鑑みて創案されたものであり、補助スピーカの音源位置の安定化を実現することが可能な構成とされたスピーカ用筐体と、このスピーカ用筐体を用いて構成されたスピーカ装置との提供を目的としている。
【０００９】
【課題を解決するための手段】
第１の発明に係るスピーカ用筐体は、側面板にスピーカドライバを固定可能な筐体と、該筐体の平面的な重心を通る垂直線と軸心が合致した状態で前記筐体内に挿入され、前記筐体の底面板と天面板とに当接する筒体と、前記筐体の底面板に形成された貫通孔を通って前記筒体内に挿入され、前記筐体の天面板を上端部で揺動可能に支持する支柱とを具備している。
【００１０】
このとき、前記支柱の上端部は尖っており、前記筐体の天面板には前記支柱の上端部で支持される軸受部を設けておくことが好ましい。また、前記筐体の底面板に形成された貫通孔の内周面と前記支柱の外周面との間には、緩衝部材を介装しておくことが好ましい。
【００１１】
第２の発明に係るスピーカ装置は第１の発明に係るスピーカ用筐体を備えたものであり、前記スピーカドライバを前記筐体の側面板に固定した構造を有している。
【００１２】
【発明の実施の形態】
図１は本実施の形態に係るスピーカ装置の構造を簡略化して示す側断面図であり、図２は本実施の形態に係るスピーカ装置の変形構造を簡略化して示す側断面図である。なお、図１及び図２中の符号１は本実施の形態に係るスピーカ装置を示しており、図１及び図２において、互いに共通となる部品、部分には同一符号を付している。
【００１３】
本実施の形態に係るスピーカ装置１はスピーカ用筐体２を備えており、図１で示すような構造とされている。スピーカ用筐体２は、前後に振動して音を発生するスピーカドライバ３のフレームが側面板４ａに固定される中空箱形の筐体４と、この筐体４の平面的な重心を通る垂直線Ｇと軸心が合致した状態として筐体４内に挿入され、この筐体４の底面板４ｂと天面板４ｃとに当接する筒体である中空パイプ５と、筐体４の底面板４ｂに形成された貫通孔６を通って中空パイプ５内に挿入され、筐体４の天面板４ｃを上端部で揺動可能に支持する支柱７とを具備している。
【００１４】
このとき、中空パイプ５の下端面及び上端面は、筐体４の底面板４ｂ及び天面板４ｃにそれぞれ密着して固定されている。そのため、中空パイプ５が挿入されたにも拘わらず、筐体４の内部における密閉性、つまり、気密性は維持される。そして、中空パイプ５内に挿入された支柱７の上端部には尖った凸部７ａが形成される一方、筐体４の天面板４ｃにはすり鉢形状の凹部８ａを有する軸受部８が固定されており、この軸受部８の凹部８ａによっては、これに当接する支柱７の凸部７ａが一点支持して揺動可能に保持される。なお、凸部７ａの先端部分は、丸みを帯びていることが好ましい。
【００１５】
また、この支柱７は筐体４の底面板４ｂに形成された貫通孔６を通って中空パイプ５外にまで延出され、支柱７の下端部にはスタンド台９が設けられている。さらに、筐体４の底面板４ｂに形成された貫通孔６の内周面と支柱７の外周面との間には、外部振動や衝撃による筐体４の必要以上に大きな揺動や筐体４と支柱７の衝突が発生するのを防止するための柔軟な素材からなる緩衝部材１０が介装されている。なお、ここでの緩衝部材１０としてはゴム等の弾性体が一般的であるが、これに限定されず、機械的な緩衝装置（図示省略）であってもよい。
【００１６】
筐体４の側面板４ａにスピーカドライバ３のフレームが固定されたスピーカ用筐体２を備えてなるスピーカ装置１は、支柱７の下端部に設けられたスタンド台９を介して床面Ｆ上に設置される。そこで、スピーカ装置１で発生した振動は、スピーカ用筐体２を構成する筺体４の側面板４ａから底面板４ｂ及び天面板４ｃに伝達され、天面板４ｃから軸受部８を介して支柱７に伝達された後、支柱７からスタンド台９へと伝達されて床面Ｆで放散される。
【００１７】
従って、本実施の形態に係るスピーカ装置１においては、スピーカドライバ３で発生する音量が大きくなり、発生する不要な振動が大きくなった場合、支柱７で全体的に支持された筐体４は、その天面板４ｃに固定された軸受部８の凹部８ａと、この凹部８ａに当接した支柱７の凸部７ａとの当接部位付近、つまり、スピーカ用筐体２における高さ方向の上端付近を中心として揺動することになる。
【００１８】
すなわち、このスピーカ装置１では、軸受部８が固定された筐体４の天面板４ｃ付近を中心としてスピーカ用筐体２が揺動するに過ぎず、従来の形態に係るスピーカ装置５１と比較した場合、筐体４の底面板４ｂ付近における揺動は増大するものの、その天面板４ｃ付近における振幅は大幅に小さくて済むことになり、その揺動が抑制される。なお、スピーカ用筐体２では、筐体４の底面板４ｂと支柱７との間に緩衝部材１０が介装されているため、この筐体４の底面板４ｂ付近における揺動もそれほど増大することはない。
【００１９】
従って、スピーカ装置１を用いてオーディオシステムを構成する際、図１中に付記して示すように、トゥイータ等のような高音域再生用で振幅の小さい補助スピーカ１１をスピーカ装置１の備えるスピーカ用筐体２上に載置したとしても、この補助スピーカ１１が従来のように大きく揺動することは起こらない。その結果、補助スピーカ１１の音源位置は安定し、この補助スピーカ１１を付加したことによる本来の効果が確実に得られる。
【００２０】
また、本実施の形態に係るスピーカ装置１では、筐体４内に中空パイプ５を挿入しているにも拘わらず、筐体４の内部における気密性が維持されている。そのため、音再生時の筺体４内における気圧の変化（空気振動）に対する気密性が安定し、気密不良に起因した音の濁りが発生することもないという利点が確保される。
【００２１】
ところで、スピーカ装置１が図１に基づいて説明した構造を有するもののみに限定されることはなく、その変形例を示す図２のような構造を有するスピーカ装置１であってもよい。すなわち、本実施の形態に係るスピーカ装置１が備えるスピーカ用筐体２においては、その筐体４に形成された貫通孔６の内周面と支柱７の外周面との間に緩衝部材１０が介装されているが、緩衝部材１０が介装されていない構造であっても、上記と同様の作用が得られる。
【００２２】
さらに、図２に示したスピーカ装置１では中空パイプ５が筐体４に内装されているが、このような構成に限られず、図２中の仮想線で示すように、中空パイプ５の下端部の方が筐体４の底面板４ｂを貫通し、外部に突出した構成とされていてもよい。このような構造である場合も、中空パイプ５によって筐体４の気密性が維持される。なお、本実施の形態及び変形例では、スピーカドライバ３が前後に振動して音を発生するピストン運動方式であるとしたが、このようなものに限定されることはなく、例えば、呼吸運動方式や平板状の圧電方式等のものであってもよいことは勿論である。
【００２３】
一方、本実施の形態においては、支柱７の上端部に形成された凸部７ａが軸受部８の凹部８ａに当接するとしているが、揺動可能な状態として固定されていてもよい。また、本実施の形態では、筺体４と中空パイプ５とが密閉構造であるとしているが、図２中に付記して示すように、中空パイプ５の一部に孔５ａを形成し、この中空パイプ５をバスレフポートとして利用することも可能である。
【００２４】
【発明の効果】
本発明に係るスピーカ装置が備えるスピーカ用筐体であれば、スピーカドライバから伝達される不要な振動が大きくなっても、支柱で支持された筐体の天面板付近を中心としてスピーカ用筐体が揺動するに過ぎないため、筐体の天面板付近における振幅は小さくなり、その揺動が抑制される。そこで、このスピーカ装置を用いてオーディオシステムを構成するに際し、スピーカ用筐体上に振幅の小さい補助スピーカを載置したとしても、この補助スピーカが大きく揺動することは起こらない。
【００２５】
そのため、補助スピーカの音源位置が安定することになり、この補助スピーカを付加したことによる本来の効果が確保される。また、本発明に係るスピーカ用筐体では、中空パイプにより筐体内の気密性が維持されるので、気密不良に起因した音の濁りが発生することもないという効果が得られる。
【図面の簡単な説明】
【図１】実施の形態に係るスピーカ装置の構造を簡略化して示す側断面図である。
【図２】実施の形態に係るスピーカ装置の変形構造を簡略化して示す側断面図である。
【図３】従来の形態に係るスピーカ装置の構造を簡略化して示す側断面図である。
【符号の説明】
１    スピーカ装置
２    スピーカ用筐体
３    スピーカドライバ
４    筐体
４ａ  筐体の側面板
４ｂ  筐体の底面板
４ｃ  筐体の天面板
５    中空パイプ（筒体）
６    貫通孔
７    支柱
８    軸受部
１０    緩衝部材
１１    補助スピーカ
Ｇ    垂直線
【図１】
2004336579.tif 000003
【図２】
2004336579.tif 000004
【図３】
2004336579.tif 000005